(57)【特許請求の範囲】
【請求項１】
ワイヤレスデバイスに含まれる装置であって、前記装置は、
前記ワイヤレスデバイスに複数のキャリア上で送られた複数の送信を備える第１の無線周波数（ＲＦ）信号をダウンコンバートするように構成された第１のダウンコンバータと、
前記複数のキャリア上で送られた前記複数の送信を備える第２のＲＦ信号をダウンコンバートするように構成された第２のダウンコンバータと、
を備え、ここにおいて、
干渉送信からの残留側波帯（ＲＳＢ）が所望の送信のキャリア対雑音比（Ｃ／Ｎ）を劣化させる場合でない場合、前記第１のダウンコンバータが、ダウンコンバージョンを実行するために選択され、
干渉送信からのＲＳＢが前記所望の送信のＣ／Ｎを劣化させる場合、前記第１および第２のダウンコンバータが、各々異なる混合周波数に基づいてダウンコンバージョンを実行するために選択される。
【請求項２】
請求項１に記載の装置は下記をさらに備える、
アンテナからの入力ＲＦ信号を増幅し、増幅されたＲＦ信号を与えるように構成された低雑音増幅器（ＬＮＡ）、前記第１および第２のＲＦ信号は、前記増幅されたＲＦ信号に基づいて生成される。
【請求項３】
請求項１に記載の装置は下記をさらに備える、
第１のアンテナからの第１の入力ＲＦ信号を増幅し、前記第１のＲＦ信号を与えるように構成された第１の低雑音増幅器（ＬＮＡ）と、
第２のアンテナからの第２の入力ＲＦ信号を増幅し、前記第２のＲＦ信号を与えるように構成された第２のＬＮＡ。
【請求項４】
請求項１に記載の装置は下記をさらに備える、
第１の可変利得に基づいて前記第１のＲＦ信号を生成するように構成された第１の増幅器と、
第２の可変利得に基づいて前記第２のＲＦ信号を生成するように構成された第２の増幅器。
【請求項５】
請求項４に記載の装置であって、
前記第１の可変利得が、前記複数の送信のうちの少なくとも１つの送信の受信電力レベルに基づいて決定され、前記第２の可変利得が、前記複数の送信のうちの少なくとも１つの他の送信の受信電力レベルに基づいて決定される、
前記装置。
【請求項６】
請求項１に記載の装置であって、
前記複数のキャリア上での前記複数の送信が、前記ワイヤレスデバイスに第１の基地局によって第１のキャリア上で送られた第１の送信と、前記ワイヤレスデバイスに第２の基地局によって第２のキャリア上で送られた第２の送信とを備え、前記第１の基地局が前記第２の基地局とコロケートされない、
前記装置。
【請求項７】
請求項１に記載の装置であって、
干渉送信からのＲＳＢが前記所望の送信のＣ／Ｎを劣化させる場合は、前記第１および第２のＲＦ信号のうちの１つの受信電力がしきい値よりも大きい場合を備える、
前記装置。
【請求項８】
請求項１に記載の装置であって、
前記複数のキャリア上での前記複数の送信が、第１のキャリア上での第１の送信と、第２のキャリア上での第２の送信とを備え、干渉送信からのＲＳＢが前記所望の送信のＣ／Ｎを劣化させる場合は、前記第１の送信の受信電力と前記第２の送信の受信電力との間の差がしきい値よりも大きい場合を備える、
前記装置。
【請求項９】
請求項１に記載の装置であって、
干渉送信からのＲＳＢが前記所望の送信のＣ／Ｎを劣化させる場合は、前記複数のキャリアを備える帯域のための広帯域電力が前記複数のキャリアのうちの１つまたは複数のキャリアのための狭帯域電力をしきい値だけ超える場合を備える、
前記装置。
【請求項１０】
請求項１に記載の装置であって、
前記第１のダウンコンバータのための第１の混合周波数および前記第２のダウンコンバータのための第２の混合周波数が、１つまたは複数の干渉送信による残留側波帯（ＲＳＢ）が前記複数のキャリアにかかることを回避するために選択される、
前記装置。
【請求項１１】
請求項１に記載の装置であって、
前記複数のキャリア上での前記複数の送信が、第１の周波数における第１のキャリア上での第１の送信と、第２の周波数における第２のキャリア上での第２の送信とを備え、前記第１および第２のダウンコンバータが選択されるとき、前記第１のダウンコンバータが、前記第１の周波数における第１の局部発振器（ＬＯ）信号に基づいて前記第１のＲＦ信号をダウンコンバートし、前記第２のダウンコンバータが、前記第２の周波数における第２のＬＯ信号に基づいて前記第２のＲＦ信号をダウンコンバートする、
前記装置。
【請求項１２】
請求項１に記載の装置であって、
前記複数のキャリア上での前記複数の送信が、第１の周波数を中心とする２つの隣接するキャリア上での２つの送信と、第２の周波数における第３のキャリア上での第３の送信とを備え、前記第１および第２のダウンコンバータが選択されるとき、前記第１のダウンコンバータが、前記第１の周波数における第１の局部発振器（ＬＯ）信号に基づいて前記第１のＲＦ信号をダウンコンバートし、前記第２のダウンコンバータが、前記第２の周波数における第２のＬＯ信号に基づいて前記第２のＲＦ信号をダウンコンバートする、
前記装置。
【請求項１３】
方法であって、前記方法は下記を備える、
干渉送信からの残留側波帯（ＲＳＢ）が所望の送信のキャリア対雑音比（Ｃ／Ｎ）を劣化させる場合でない場合、ワイヤレスデバイスに複数のキャリア上で送られた複数の送信のためのダウンコンバージョンを実行するために第１のダウンコンバータを選択することと、
干渉送信からのＲＳＢが前記所望の送信のＣ／Ｎを劣化させる場合、前記第１のダウンコンバータと第２のダウンコンバータとを、各々異なる混合周波数に基づいて、前記複数のキャリア上で送られた前記複数の送信のためのダウンコンバージョンを実行するために選択すること。
【請求項１４】
請求項１３に記載の方法であって、
前記複数のキャリア上での前記複数の送信が、第１の周波数における第１のキャリア上での第１の送信と、第２の周波数における第２のキャリア上での第２の送信とを備える、
前記方法は、さらに下記を備える、
前記第１および第２のダウンコンバータが選択されるとき、前記第１の周波数における第１の局部発振器（ＬＯ）信号に基づいて第１のＲＦ信号をダウンコンバートするように前記第１のダウンコンバータを制御し、前記第２の周波数における第２のＬＯ信号に基づいて第２のＲＦ信号をダウンコンバートするように前記第２のダウンコンバータを制御すること。
【請求項１５】
コンピュータ可読記憶媒体であって、前記コンピュータ可読記憶媒体は、下記を備える、
少なくとも１つのコンピュータに、干渉送信からの残留側波帯（ＲＳＢ）が所望の送信のキャリア対雑音比（Ｃ／Ｎ）を劣化させる場合でない場合、ワイヤレスデバイスに複数のキャリア上で送られた複数の送信のためのダウンコンバージョンを実行するために第１のダウンコンバータを選択することを行わせるためのコードと、
前記少なくとも１つのコンピュータに、干渉送信からのＲＳＢが前記所望の送信のＣ／Ｎを劣化させる場合、前記第１のダウンコンバータと第２のダウンコンバータとを、各々異なる混合周波数に基づいて、前記複数のキャリア上で送られた前記複数の送信のためのダウンコンバージョンを実行するために選択することを行わせるためのコード。
【発明の詳細な説明】
【技術分野】
【０００１】
米国特許法第１１９条に基づく優先権の主張
[0001]本特許出願は、本出願の譲受人に譲渡され、参照により本明細書に明確に組み込まれる、２０１２年４月６日に出願された「IMBALANCED CARRIER RECEIVER」と題する仮出願第６１／６２１，１２４号の優先権を主張する。
【０００２】
[0002]本開示は、一般に電子機器に関し、より詳細には、受信機に関する。
【背景技術】
【０００３】
[0003]ワイヤレス通信システムにおけるユーザ機器（ＵＥ）（たとえば、セルラーフォンまたはスマートフォン）は、双方向通信のためのデータを送信および受信し得る。ＵＥは、データ送信のための送信機と、データ受信のための受信機とを含み得る。データ送信では、送信機は、無線周波数（ＲＦ）キャリア信号をデータで変調して被変調ＲＦ信号を取得し、被変調ＲＦ信号を増幅して、適切な出力電力レベルを有する出力ＲＦ信号を取得し、アンテナを介して出力ＲＦ信号を基地局に送信し得る。データ受信では、受信機は、アンテナを介して入力ＲＦ信号を取得し得、入力ＲＦ信号を増幅し処理して、基地局によって送られたデータを復元し得る。
【０００４】
[0004]ＵＥは、複数のキャリア上での同時動作である、キャリアアグリゲーションをサポートし得る。キャリアは、通信のために使用される周波数の範囲を指すことがあり、いくつかの特性に関連付けられ得る。たとえば、キャリアは、そのキャリア上での動作を記述するシステム情報に関連付けられ得る。キャリアは、コンポーネントキャリア（ＣＣ）、周波数チャネル、セルなどと呼ばれることもある。良好な性能が達成され得るように複数のキャリア上でデータを受信することが望ましい。
【図面の簡単な説明】
【０００５】
【図１】[0005]ワイヤレス通信システムと通信するＵＥを示す図。
【図２】[0006]図１中のＵＥのブロック図。
【図３Ａ】[0007]２つの基地局からのキャリアアグリゲーションを示す図。
【図３Ｂ】２つの基地局からのキャリアアグリゲーションを示す図。
【図４】[0008]単一のダウンコンバータをもつ受信機のブロック図。
【図５Ａ】[0009]２つの平衡キャリア上での送信のダウンコンバージョンを示す図。
【図５Ｂ】[0010]２つの平衡キャリア上での送信のためのキャリア対雑音比（Ｃ／Ｎ）対受信ＲＦ電力を示す図。
【図６Ａ】[0011]２つの不平衡キャリア上での送信のダウンコンバージョンを示す図。
【図６Ｂ】[0012]２つの不平衡キャリア上での送信のためのＣ／Ｎ対受信ＲＦ電力を示す図。
【図７】[0013]２つのダウンコンバータをもつ受信機のブロック図。
【図８】[0014]２つの受信機のブロック図。
【図９】[0015]２つのダウンコンバータを使用した２つの不平衡キャリア上での送信のダウンコンバージョンを示す図。
【図１０】[0016]２つのキャリア上での２つの送信を処理するために１つまたは２つのダウンコンバータを選択するためのプロセスを示す図。
【図１１】[0017]３つのキャリア上での送信のダウンコンバージョンを示す図。
【図１２】３つのキャリア上での送信のダウンコンバージョンを示す図。
【図１３】[0018]複数のキャリア上での複数の送信を処理するために１つまたは２つのダウンコンバータを選択するためのプロセスを示す図。
【図１４】[0019]複数のキャリア上での送信を受信するためのプロセスを示す図。
【発明を実施するための形態】
【０００６】
[0020]以下に示す発明を実施するための形態は、本開示の例示的な設計を説明するものであり、本開示が実施され得る設計のみを表すものではない。「例示的」という用語は、本明細書では、「例、事例、または例示の働きをすること」を意味するために使用する。「例示的」として本明細書で説明するいかなる設計も、必ずしも他の設計よりも好ましいまたは有利であると解釈されるべきであるとは限らない。発明を実施するための形態は、本開示の例示的な設計の完全な理解を与えるための具体的な詳細を含む。本明細書で説明する例示的な設計はこれらの具体的な詳細なしに実施され得ることが当業者には明らかであろう。いくつかの例では、本明細書で提示する例示的な設計の新規性を不明瞭にしないように、よく知られている構造およびデバイスをブロック図の形式で示す。
【０００７】
[0021]本明細書では、異なる周波数における複数のキャリア上で送られた複数の送信を受信するために１つまたは複数のダウンコンバータを使用するための技法が開示される。これらの技法は、キャリアが不平衡であるときでも、良好な性能を与えることができる。これらの技法は、ワイヤレス通信デバイスなどの様々なタイプの電子デバイスのために使用され得る。
【０００８】
[0022]図１に、ワイヤレス通信システム１２０と通信するＵＥ１１０を示す。ワイヤレスシステム１２０は、ロングタームエボリューション（ＬＴＥ：Long Term Evolution）システム、符号分割多元接続（ＣＤＭＡ）システム、モバイル通信用グローバルシステム（ＧＳＭ（登録商標）：Global System for Mobile Communications）システム、または何らかの他のワイヤレスシステムであり得る。ＣＤＭＡシステムは、広帯域ＣＤＭＡ（ＷＣＤＭＡ（登録商標））、ｃｄｍａ２０００、またはＣＤＭＡの何らかの他のバージョンを実装し得る。簡単のために、図１は、３つの発展型ノードＢ（ｅＮＢ）１３０、１３２および１３４と、１つのシステムコントローラ１４０とを含むワイヤレスシステム１２０を示している。ｅＮＢは、ＵＥと通信するエンティティであり、基地局、ノードＢ、アクセスポイントなどと呼ばれることもある。
【０００９】
[0023]概して、ワイヤレスシステムは、任意の数のｅＮＢと、ネットワークエンティティの任意のセットとを含み得る。ワイヤレスシステムは、マクロｅＮＢ、ピコｅＮＢ、ホームｅＮＢなど、異なるタイプのｅＮＢをも含み得る。マクロｅＮＢは、比較的大きい地理的エリア（たとえば、半径数キロメートル）をカバーし得、サービスに加入しているＵＥによる無制限アクセスを可能にし得る。ピコｅＮＢは、比較的小さい地理的エリアをカバーし得、サービスに加入しているＵＥによる無制限アクセスを可能にし得る。ホームｅＮＢ（ＨｅＮＢ）は、比較的小さい地理的エリア（たとえば、自宅）をカバーし得、ＨｅＮＢとの関連付けを有するＵＥによる制限付きアクセスを可能にし得る。図１に示す例では、ワイヤレスシステム１２０は、マクロｅＮＢ１３０と、ピコｅＮＢ１３２と、ＨｅＮＢ１３４とを含み得る。各ｅＮＢは１つまたは複数のセルをサポートし得る。「セル」という用語は、この用語が使用されるコンテキストに応じて、ｅＮＢのカバレージエリアおよび／またはそのカバレージエリアをサービスするｅＮＢサブシステムを指すことがある。ワイヤレスシステムは、リレー、リモートラジオヘッド（ＲＲＨ：remote radio head）などをも含み得る。
【００１０】
[0024]ＵＥ１１０は、ワイヤレスデバイス、移動局、端末、アクセス端末、加入者ユニット、局などと呼ばれることもある。ＵＥ１１０は、セルラーフォン、スマートフォン、タブレット、ワイヤレスモデム、携帯情報端末（ＰＤＡ）、ハンドヘルドデバイス、ラップトップコンピュータ、スマートブック、ネットブック、コードレスフォン、ワイヤレスローカルループ（ＷＬＬ）局、Ｂｌｕｅｔｏｏｔｈ（登録商標）デバイスなどであり得る。ＵＥ１１０はワイヤレスシステム１２０および／または他のワイヤレスシステムと通信することが可能であり得る。ＵＥ１１０はまた、（図１に示されていない）放送局からの信号、１つまたは複数のグローバルナビゲーション衛星システム（ＧＮＳＳ：global navigation satellite systems）中の衛星（たとえば、衛星１５０）からの信号などを受信することが可能であり得る。ＵＥ１１０は、ＬＴＥ、ｃｄｍａ２０００、ＷＣＤＭＡ、ＧＳＭ、８０２．１１、ＧＰＳなど、ワイヤレス通信のための１つまたは複数の無線技術をサポートし得る。
【００１１】
[0025]ＵＥ１１０は、複数のキャリア上での動作である、キャリアアグリゲーションをサポートし得る。キャリアアグリゲーションはマルチキャリア動作と呼ばれることもある。ＵＥ１１０は、６９８から９６０メガヘルツ（ＭＨｚ）までのローバンド、１４７５から２１７０ＭＨｚまでのミッドバンド、ならびに／または２３００から２６９０ＭＨｚまでのおよび３４００から３８００ＭＨｚまでのハイバンドにおいて動作することが可能であり得る。ローバンド、ミッドバンド、およびハイバンドは、帯域の３つのグループ（または帯域グループ）を指し、各帯域グループは、いくつかの周波数帯域（または単に、「帯域」）を含む。ＬＴＥリリース１１は３５個の帯域をサポートし、それらの帯域は、ＬＴＥ／ＵＭＴＳ帯域と呼ばれ、３ＧＰＰ  ＴＳ  ３６．１０１に記載されている。各帯域は、最高２００ＭＨｚをカバーし得、１つまたは複数のキャリアを含み得る。各キャリアは、ＬＴＥでは最高２０ＭＨｚをカバーし得、いくつかのサブキャリアを含み得る。各キャリアのためのサブキャリアは、ＬＴＥにおけるダウンリンクでは直交周波数分割多重（ＯＦＤＭ）を用いて、またはＬＴＥにおけるアップリンクではシングルキャリア周波数分割多重（ＳＣ−ＦＤＭ）を用いて取得され得る。ＵＥ１１０は、ＬＴＥリリース１１では、１つまたは２つの帯域における最高５つのキャリアで構成され得る。
【００１２】
[0026]図２に、図１中のＵＥ１１０の例示的な設計のブロック図を示す。この例示的な設計では、ＵＥ１１０は、１次アンテナ２１０に結合されたトランシーバ２２０と、２次アンテナ２１２に結合された受信機２２２と、データプロセッサ／コントローラ２８０とを含む。トランシーバ２２０は、複数の帯域、キャリアアグリゲーション、複数の無線技術などをサポートするためにフロントエンド回路２２４と、複数（Ｋ個）の受信機２３０ａａ〜２３０ａｋと、複数（Ｋ個）の送信機２４０ａ〜２４０ｋとを含む。受信機２２２は、複数の帯域、キャリアアグリゲーション、複数の無線技術、受信ダイバーシティ、多入力多出力（ＭＩＭＯ）送信などをサポートするためにフロントエンド回路２２６と複数（Ｍ個）の受信機２３０ｂａ〜２３０ｂｍとを含む。
【００１３】
[0027]データ受信では、アンテナ２１０は、１つまたは複数のｅＮＢおよび／または他の送信局から信号を受信し得、フロントエンド回路２２４に受信ＲＦ信号を与え得る。フロントエンド回路２２４は、受信ＲＦ信号をルーティングし、場合によってはフィルタ処理し得、選択された受信機２３０に入力ＲＦ信号を与え得る。フロントエンド回路２２４は、１つまたは複数のスイッチ、デュプレクサ、ダイプレクサ、方向性結合器などを含み得る。選択された受信機２３０は、フロントエンド回路２２４からの入力ＲＦ信号を増幅し、フィルタ処理し、ダウンコンバートし、データプロセッサ２８０にベースバンド信号を与え得る。トランシーバ２２０中の各受信機２３０と受信機２２２中の各受信機２３０は、使用のために選択／有効化されるとき、同様の方法で動作し得る。各受信機２３０は、１つまたは複数の増幅器、フィルタ、ダウンコンバータ、整合回路などを含み得る。
【００１４】
[0028]データ送信では、データプロセッサ２８０は、送信されるべきデータを処理（たとえば、符号化および変調）し、選択された送信機２４０にアナログ出力信号を与え得る。選択された送信機２４０は、アナログ出力信号を増幅し、フィルタ処理し、アップコンバートし、フロントエンド回路２２４に出力ＲＦ信号を与え得る。トランシーバ２２０中の各送信機２４０は、使用のために選択／有効化されるとき、同様の方法で動作し得る。各送信機２４０は、１つまたは複数の増幅器、フィルタ、アップコンバータ、インピーダンス整合回路などを含み得る。出力ＲＦ信号は、フロントエンド回路２２４を介してルーティングされ、アンテナ２１０を介して送信され得る。
【００１５】
[0029]各受信機２３０は、以下で説明するように実装され得る。各送信機２４０は、当業者によって知られている様々な方法で実装され得る。トランシーバ２２０および受信機２２２の全部または一部分が、１つまたは複数のアナログ集積回路（ＩＣ）、ＲＦ  ＩＣ（ＲＦＩＣ）、混合信号ＩＣなどの上に実装され得る。
【００１６】
[0030]データプロセッサ／コントローラ２８０は、ＵＥ１１０のための様々な機能を実行し得る。たとえば、データプロセッサ２８０は、受信機２３０を介して受信されているデータおよび送信機２４０を介して送信されているデータのための処理を実行し得る。コントローラ２８０は、フロントエンド回路２２４および２２６と、受信機２３０と、送信機２４０との動作を制御し得る。メモリ２８２は、データプロセッサ／コントローラ２８０のプログラムコードおよびデータを記憶し得る。データプロセッサ／コントローラ２８０は、１つまたは複数の特定用途向け集積回路（ＡＳＩＣ）および／または他のＩＣ上に実装され得る。
【００１７】
[0031]ＵＥ１１０は、キャリアアグリゲーションについて異なる周波数における複数のキャリア上で１つまたは複数のｅＮＢによって送られた複数の送信を受信し得る。複数の送信は、同じまたは異なる送信電力レベルにおいて送られ得、異なるチャネル状態を経ることがある。したがって、複数の送信は、ＵＥ１１０によって異なる電力レベルにおいて受信され得る。不平衡キャリアは、異なるキャリア上での複数の送信の受信電力間の差が所定の量、たとえば、６デシベル（ｄＢ）または何らかの他の量を超える状態を指す。
【００１８】
[0032]図３Ａに、キャリアの異なるセット上で動作している２つのマクロｅＮＢであり得る、２つのコロケートされたｅＮＢ  ＸおよびＹからのキャリアアグリゲーションの一例を示す。図３Ａに示す例では、ｅＮＢ  Ｘは、ＵＥ１１０に第１のキャリアＣ１上で第１の送信を送り、同時に、ｅＮＢ  Ｙは、ＵＥ１１０に第２のキャリアＣ２上で第２の送信を送る。キャリアＣ１およびＣ２は、（図３Ａに示すように）周波数において互いに隣接し得るか、または不連続であり得る。第１および第２の送信は、同じ送信電力レベルにおいて送られ得る。しかしながら、それら２つの送信は、フェージングおよび／または他の現象により、ＵＥ１１０において異なる電力レベルにおいて受信され得る。フェージングは、いくつかの周波数における信号成分が受信機において弱め合うように加わる現象を指す。例示３１０によって示すように、ＵＥ１１０におけるキャリアＣ１上での第１の送信の受信（Ｒｘ）電力とキャリアＣ２上での第２の送信の受信電力との間の不平衡は比較的小さく、たとえば、６ｄＢよりも少ないことがある。
【００１９】
[0033]図３Ｂに、２つのコロケートされないｅＮＢ１および２からのキャリアアグリゲーションの一例を示す。１つのシナリオでは、ｅＮＢ１および２は、重複カバレージエリアをもつ２つのマクロｅＮＢであり得る。別のシナリオでは、ｅＮＢ２はマクロｅＮＢであり得、ｅＮＢ１はピコｅＮＢ、ＨｅＮＢ、ＲＲＨ、リピータなどであり得る。
【００２０】
[0034]図３Ｂに示す例では、ｅＮＢ１は、ＵＥ１１０に第１のキャリアＣ１上で第１の送信を送り、同時に、ｅＮＢ２は、ＵＥ１１０に第２のキャリアＣ２上で第２の送信を送る。キャリアＣ１およびＣ２は、（図３Ｂに示すように）周波数において互いに隣接し得るか、または不連続であり得る。第１および第２の送信は、同じまたは異なる送信電力レベルにおいて送られ得る。それら２つの送信は、異なるチャネル状態を観測し得、ＵＥ１１０において異なる電力レベルにおいて受信され得る。たとえば、ＵＥ１１０は、ｅＮＢ２よりもｅＮＢ１にはるかに近くに位置し得、ｅＮＢ２よりもｅＮＢ１についてはるかに低い経路損失を有し得る。したがって、ＵＥ１１０は、ｅＮＢ１についてのはるかに低い経路損失により、ｅＮＢ２からの第２の送信よりもはるかに高い電力レベルにおいてｅＮＢ１からの第１の送信を受信し得る。概して、キャリアＣ１およびＣ２上での２つの送信の受信電力間の差は、それら２つの送信によって観測される送信電力の差および／またはチャネル状態の差（たとえば、異なるフェージングおよび経路損失）に起因し得る。例示３２０によって示すように、ＵＥ１１０におけるキャリアＣ１上での第１の送信の受信電力とキャリアＣ２上での第２の送信の受信電力との間の不平衡は比較的大きく、たとえば、６ｄＢよりも多いことがある。
【００２１】
[0035]ｅＮＢ２は、キャリアＣ２内のサブキャリアの隣接するセットを割り振られ得る、ＵＥ１１０とＵＥ１１２の両方をサービスし得る。たとえば、ＵＥ１１０は、キャリアＣ２内の第１のリソースブロック（ＲＢ１）におけるサブキャリアの第１のセットを割り振られ得、ＵＥ１１２は、キャリアＣ２内の第２のリソースブロック（ＲＢ２）におけるサブキャリアの第２のセットを割り振られ得る。ｅＮＢ２は、ＵＥ１１０にサブキャリアの第１のセット上で第２の送信を送り得る。第２の送信により、不要な信号成分が、ｅＮＢ２内の送信機の３次非線形性によりサブキャリアの第１のセットの両側に現れ得、これは、隣接チャネル漏洩比（ＡＣＬＲ：adjacent channel leakage ratio）と呼ばれることがある。不要な信号成分は、サブキャリアの第１のセットの両側のサブキャリア上で送られる送信に対する干渉として働き得る。干渉の大きさは、ＵＥ１１０への第２の送信の送信電力レベルに依存し得る。ＵＥ１１２は、ＵＥ１１０への第２の送信からの干渉により、劣悪なＣ／Ｎを観測し得る。ＵＥ１１０への第２の送信のためにより高い送信電力を使用することにより、ＵＥ１１２に対する干渉が高くなるであろう。したがって、ｅＮＢ２は、ＵＥ１１０における第１および第２の送信の受信電力の不平衡を補償するためにＵＥ１１０への第２の送信の送信電力を増加させることができないことがある。この場合、ＵＥ１１０は、キャリア不平衡とｅＮＢ２からの助けがないこととで、行き詰っていることがある。
【００２２】
[0036]図４に、図２中の受信機２３０のいずれか１つのために使用され得る、受信機４３０の例示的な設計のブロック図を示す。アンテナ４１０が、ｅＮＢおよび／または他の送信局によって送信されたダウンリンク信号を受信し、受信ＲＦ信号を与える。フロントエンド回路４２４が、受信ＲＦ信号をルーティングおよび／またはフィルタ処理し、受信機４３０に入力ＲＦ信号を与える。アンテナ４１０およびフロントエンド回路４２４は、図２中の、それぞれアンテナ２１０およびフロントエンド回路２２４に対応し得るか、またはそれぞれアンテナ２１２およびフロントエンド回路２２６に対応し得る。
【００２３】
[0037]受信機４３０内で、低雑音増幅器（ＬＮＡ）４４０が、入力ＲＦ信号を受信し、増幅し、増幅されたＲＦ信号を与える。ダウンコンバータ４５０が、増幅されたＲＦ信号をＲＦからベースバンドにダウンコンバートし、同相被ダウンコンバート信号（ＩDC）と直交位相被ダウンコンバート信号（ＱDC）とを与える。ダウンコンバータ４５０内で、ミキサ４５２ａが、増幅されたＲＦ信号を受信し、局部発振器（ＬＯ）生成器４６２からの同相ＬＯ信号（ＩLO）を用いてダウンコンバートし、ＩDC信号を与える。ミキサ４５２ｂが、増幅されたＲＦ信号を受信し、ＬＯ生成器４６２からの直交位相ＬＯ信号（ＱLO）を用いてダウンコンバートし、ＱDC信号を与える。ＬＯ生成器４６２は、図２中のデータプロセッサ２８０の１つの例示的な設計である、データプロセッサ２８０からの周波数制御（ＦCTRL）に基づいて適切な周波数においてＩLO信号およびＱLO信号を生成する。ミキサ４５２ａからのＩDC信号は、増幅器（アンプ）４６０ａによって増幅され、さらに低域フィルタ４７０ａによってフィルタ処理されて、同相ベースバンド信号（ＩBB）が生成される。同様に、ミキサ４５２ｂからのＱDC信号は、増幅器４６０ｂによって増幅され、さらに低域フィルタ４７０ｂによってフィルタ処理されて、直交位相ベースバンド信号（ＱBB）が生成される。低域フィルタ４７０ａおよび４７０ｂの帯域幅は、構成可能であり得、受信されている所望の信号の帯域幅に基づいて設定され得る。受信機４３０は、データプロセッサ４８０にＩBB信号およびＱBB信号を与える。
【００２４】
[0038]ミキサ４５２ａ、増幅器４６０ａ、および低域フィルタ４７０ａは、受信機４３０の同相（Ｉ）分岐の一部である。ミキサ４５２ｂ、増幅器４６０ｂ、および低域フィルタ４７０ｂは、受信機４３０の直交位相（Ｑ）分岐の一部である。理想的な受信機では、Ｉ分岐は、Ｑ分岐に対して直交する（または９０°位相がずれている）べきであり、それら２つの分岐は、周波数にわたって等しい利得を有するべきである。しかしながら、Ｉ／Ｑ不平衡が、一般に、Ｉ分岐とＱ分岐との間に存在し、利得不平衡および／または位相誤差を含み得る。Ｉ／Ｑ不平衡により残留側波帯（ＲＳＢ：residual sideband）が生じ、これは、以下で説明するように、近くの周波数にかかるひずみである。
【００２５】
[0039]データプロセッサ４８０内で、アナログデジタル変換器（ＡＤＣ）４９０ａが、ＩBB信号を受信し、デジタル化し、Ｉ  ＡＤＣサンプルを与える。ＡＤＣ４９０ｂが、ＱBB信号を受信し、デジタル化し、Ｑ  ＡＤＣサンプルを与える。ＡＤＣサンプルはデジタル的に処理（たとえば、復調および復号）されて、ＵＥ１１０に送られたデータが復元される。
【００２６】
[0040]図５Ａに、図４中の受信機４３０を使用した２つの平衡キャリアＣ１およびＣ２上での２つの送信のダウンコンバージョンを示す。例示５１２に、アンテナ４１０からの受信ＲＦ信号を示す。受信ＲＦ信号は、ｆcの周波数を中心とする、２つのキャリアＣ１およびＣ２上での２つの送信を含む。それら２つの送信は、平衡キャリアを用いてほぼ同じ受信電力レベルにおいて受信される。ＬＮＡ４４０に与えられる入力ＲＦ信号は、受信ＲＦ信号と同様のスペクトルを有し得る。
【００２７】
[0041]例示５１４に、受信機４３０からのベースバンド信号を示す。受信ＲＦ信号は、ｆcの周波数におけるＬＯ信号を用いてダウンコンバートされ、それにより、キャリアＣ１およびＣ２上での２つの送信は直流（ＤＣ）または０ヘルツを中心とする。例示５１４によって示すように、受信機４３０におけるＩ／Ｑ不平衡により、（ｉ）キャリアＣ１上での送信は、キャリアＣ２上に現れるＲＳＢを引き起こし、（ｉｉ）キャリアＣ２上での送信は、キャリアＣ１上に現れるＲＳＢを引き起こす。キャリアＣ１上での送信からのＲＳＢは、キャリアＣ２上での送信に対する雑音／干渉として働き、その逆も同様である。ＲＳＢの振幅は、ＲＳＢを引き起こす送信の受信電力レベル、ならびに受信機４３０におけるＩ／Ｑ不平衡の量に依存する。受信機４３０は、受信機４３０の熱雑音および雑音指数（ＮＦ）によって決定される、雑音フロア（ＮRX）を有する。ＲＳＢは、受信機４３０における雑音フロアよりも大きいことがある。この場合、各キャリア上での送信のＣ／Ｎは、他方のキャリア上での送信によるＲＳＢによって制限され得る。
【００２８】
[0042]図５Ｂに、図４中の受信機４３０の性能を示す。図５Ｂでは、水平軸が、アンテナポートにおける受信電力、または受信ＲＦ電力を表す。図５Ｂの上半分に、（ｄＢの単位の）Ｃ／Ｎ対（ｄＢｍの単位の）受信ＲＦ電力を示す。プロット５２２に、ＬＮＡ４４０の出力における増幅されたＲＦ信号のＣ／Ｎ対受信ＲＦ電力を示す。プロット５２２によって示すように、増幅されたＲＦ信号のＣ／Ｎは、ＬＮＡ４４０がＰRX3の受信ＲＦ電力において飽和するまで、受信ＲＦ電力が高くなるにつれて直線的に増加する。ＰRX3よりも小さい受信ＲＦ電力の場合、ＬＮＡ非線形性によるひずみは、受信機４３０における雑音フロアよりも少なく、Ｃ／Ｎは、受信ＲＦ電力が高くなるにつれて増加する。ＰRX3よりも大きい受信ＲＦ電力の場合、ＬＮＡ非線形性によるひずみは、雑音フロアを上回り、受信ＲＦ電力が高くなるにつれて増加する。したがって、Ｃ／Ｎは、ＰRX3よりも高い受信ＲＦ電力の場合、ある最大値に近づく。
【００２９】
[0043]プロット５２４に、受信機４３０の出力におけるベースバンド信号のＣ／Ｎ対受信ＲＦ電力を示す。プロット５２４によって示すように、ベースバンド信号のＣ／Ｎは、別のキャリアからのＲＳＢが雑音フロアを超え、これが、ＰRX1の受信ＲＦ電力において発生するまで、受信ＲＦ電力が高くなるにつれて直線的に増加する。ＰRX1よりも小さい受信ＲＦ電力の場合、ＲＳＢは、雑音フロアよりも少なく、Ｃ／Ｎは、受信ＲＦ電力が高くなるにつれて増加する。ＰRX1よりも大きい受信ＲＦ電力の場合、ＲＳＢは、雑音フロアを上回り、受信ＲＦ電力が高くなるにつれて増加する。したがって、受信ＲＦ電力がＰRX1よりも高くなることにより、ベースバンド信号が大きくなるが、ＲＳＢも大きくなり、それにより、Ｃ／Ｎが、飽和Ｃ／ＮであるＣ／Ｎ＿ｓａｔの最大値に近づくことを引き起こす。Ｃ／Ｎ＿ｓａｔは、所与の送信の受信電力と、他の送信によって引き起こされるＲＳＢの受信電力との比である。Ｃ／Ｎ＿ｓａｔは、受信機４３０におけるＩ／Ｑ不平衡の量に依存する。
【００３０】
[0044]図５Ｂの下半分に、（ボルトの単位の）ＡＤＣ入力電圧対（ｄＢｍの単位の）受信ＲＦ電力を示す。プロット５２６に、ＰRX2の受信ＲＦ電力においてＡＤＣ飽和点に達するまで、受信ＲＦ電力の２乗関数として増加するＡＤＣ入力電圧を示す。受信ＲＦ電力がＰRX2よりも高くなることにより、ＡＤＣ４９０によるベースバンド信号のクリッピングが生じ、これは、性能を劣化させるであろう。
【００３１】
[0045]図５Ｂに示すように、ＰRX1を超える受信ＲＦ電力の場合、ＲＳＢによるＣ／Ｎ飽和が最初に発生する。ＰRX2を超える受信ＲＦ電力の場合、ＡＤＣ飽和が次に発生する。ＬＮＡ線形性は、一般に、より良く、受信ＲＦ電力がＰRX1よりもはるかに高くなるまで、Ｃ／Ｎが飽和することを引き起こさない。図５Ｂは、ＲＳＢに対処することが、Ｃ／Ｎを改善し得、これが、今度はデータ送信の性能を改善し得ることを示している。
【００３２】
[0046]図６Ａに、図４中の受信機４３０を使用した２つの不平衡キャリアＣ１およびＣ２上での２つの送信のダウンコンバージョンを示す。例示６１２に、アンテナ４１０からの受信ＲＦ信号を示す。受信ＲＦ信号は、ｆcの周波数を中心とする、２つのキャリアＣ１およびＣ２上での２つの送信を含む。キャリアＣ１およびＣ２上での２つの送信は、不平衡キャリアを用いてＰC1およびＰC2の異なる受信電力レベルにおいて受信される。
【００３３】
[0047]例示６１４および６１６に、受信機４３０からのベースバンド信号を示す。受信ＲＦ信号は、キャリアＣ１およびＣ２上での２つの送信がＤＣを中心とするように、ダウンコンバートされる。例示６１４および６１６によって示すように、受信機４３０におけるＩ／Ｑ不平衡により、（ｉ）キャリアＣ１上での送信は、ＰRSB1＝ＰC1−ＳＲＲの電力レベルにおいてキャリアＣ２上に現れるＲＳＢを引き起こし、（ｉｉ）キャリアＣ２上での送信は、ＰRSB2＝ＰC2−ＳＲＲの電力レベルにおいてキャリアＣ１上に現れるＲＳＢを引き起こし、ここで、ＳＲＲは、送信の受信電力と送信によるＲＳＢの受信電力との比である。例示６１４は、キャリアＣ１およびＣ２のためのＲＳＢが受信機４３０における雑音フロアを下回る場合を示している。例示６１６は、ＲＳＢが雑音フロアを上回る場合を示している。例示６１６によって示すように、ＲＳＢが雑音フロアを上回るとき、キャリアＣ１のＣ／ＮはＣ／Ｎ＿ｓａｔ１において飽和し、キャリアＣ２のＣ／ＮはＣ／Ｎ＿ｓａｔ２において飽和する。これは、キャリアＣ１およびＣ２の電力レベルを増加させることが、ほぼ同じ量だけＲＳＢの電力レベルをも増加させることになり、それにより、Ｃ／Ｎの改善がほとんどまたはまったくなくなるからである。
【００３４】
[0048]図６Ｂに、図６Ａに示した２つの不平衡キャリアＣ１およびＣ２上での２つの送信のための、受信機４３０からのベースバンド信号のＣ／Ｎ対受信ＲＦ電力を示す。プロット６２４に、キャリアＣ１上での送信のためのベースバンド信号のＣ／Ｎ対受信ＲＦ電力を示す。プロット６２４に、キャリアＣ２上での送信のためのベースバンド信号のＣ／Ｎ対受信ＲＦ電力を示す。
【００３５】
[0049]受信ＲＦ電力が（たとえば、プロット６２２および６２４中の点Ａにおいて）十分に低いとき、キャリアＣ１およびＣ２上での２つの送信によるＲＳＢは、図６Ａ中の例示６１４によって示したように、雑音フロアを下回る。この場合、各キャリア上での送信のＣ／Ｎは、以下のように、その送信の受信電力と雑音フロアとに依存する。
【数１】
0006312653.tif 000002
【００３６】
ここで、（Ｃ／Ｎ）CxはキャリアＣｘのＣ／Ｎである。
【００３７】
[0050]受信ＲＦ電力が（たとえば、プロット６２２中の点Ｂにおいて）より高いとき、キャリアＣ１およびＣ２上での２つの送信によるＲＳＢは、図６Ａ中の例示６１６によって示したように、雑音フロアを上回る。この場合、各キャリア上での送信のＣ／Ｎは、以下のように、その送信の、ならびに他方のキャリア上での送信によるＲＳＢの、受信電力に依存する。
【数２】
0006312653.tif 000003
【数３】
0006312653.tif 000004
【００３８】
ここで、ＰRSB1およびＰRSB2は、それぞれキャリアＣ１およびＣ２上での送信によるＲＳＢの受信電力である。
【００３９】
[0051]図６Ａ中の例示６１６によって示したように、キャリアＣ２上でのより弱い送信のＣ／Ｎは、キャリアＣ１上でのより強い送信によるＲＳＢによって実質的に劣化され得る。より弱い送信のＣ／Ｎの劣化の量は、（ＰC1−ＰC2）として与えられ得る、２つのキャリア間の不平衡の量に依存し得る。ＲＳＢによるＣ／Ｎの劣化は、特にキャリア間の不平衡の量が大きいとき、データ送信の性能を実質的に劣化させ得る。
【００４０】
[0052]本開示の一態様では、複数のキャリア上で送られた複数の送信を受信するために１つまたは複数のダウンコンバータが使用され得る。使用すべきダウンコンバータの数は、複数のキャリア間の不平衡の量、ＵＥにおける受信ＲＦ電力、所望の送信に対する干渉を引き起こすＲＳＢを有する干渉送信の受信電力など、１つまたは複数の基準に基づいて選択され得る。以下で説明するように、より強い送信からのＲＳＢがＵＥにおいてより弱い送信のＣ／Ｎを劣化させるシナリオを回避するために、複数のダウンコンバータが使用され得る。
【００４１】
[0053]図７に、複数のダウンコンバータをもつ受信機７３０の例示的な設計のブロック図を示す。受信機７３０は、平衡または不平衡キャリア上での複数の送信のために良好な性能を与えることができる。受信機７３０は、図２中の受信機２３０のいずれか１つのために使用され得る。
【００４２】
[0054]アンテナ７１０が、ｅＮＢおよび／または他の送信局からダウンリンク信号を受信し、受信ＲＦ信号を与える。フロントエンド回路７２４が、受信ＲＦ信号をルーティングおよび／またはフィルタ処理し、受信機７３０に入力ＲＦ信号を与える。アンテナ７１０およびフロントエンド回路７２４は、図２中の、それぞれアンテナ２１０およびフロントエンド回路２２４に対応し得るか、またはそれぞれアンテナ２１２およびフロントエンド回路２２６に対応し得る。
【００４３】
[0055]受信機７３０内で、ＬＮＡ７４０が、入力ＲＦ信号を受信し、増幅し、増幅されたＲＦ信号を与える。信号スプリッタ７４２が、増幅されたＲＦ信号を受信し、第１の受信機ユニット７４８ａに第１のＲＦ信号を与え、第２の受信機ユニット７４８ｂに第２のＲＦ信号を与える。図７に示す例示的な設計では、信号スプリッタ７４２は、２つの可変利得増幅器（ＶＧＡ）７４４ａおよび７４４ｂを含む。ＶＧＡ７４４ａは、第１の可変利得に基づいてＬＮＡ７４０からの増幅されたＲＦ信号を増幅し、第１のＲＦ信号を与える。ＶＧＡ７４４ｂは、第２の可変利得に基づいてＬＮＡ７４０からの増幅されたＲＦ信号を増幅し、第２のＲＦ信号を与える。各ＶＧＡ７４４の利得は、そのＶＧＡ７４４によって処理されている１つまたは複数のキャリア上での１つまたは複数の送信のために良好な性能を与えるように設定され得る。たとえば、弱い送信のためのＶＧＡの利得は公称よりも高く設定され得、強い送信のためのＶＧＡの利得は公称よりも低く設定され得る。ＶＧＡ７４４ａとＶＧＡ７４４ｂとの独立した利得制御は、より強い信号が、ＡＤＣを飽和することと、ＡＤＣにおいてより弱い信号を破損することとを軽減するのを助け得る。これは、ＶＧＡ７４４ａおよび７４４ｂを使用して２つのキャリアＣ１およびＣ２の各々について好適な利得を独立して適用することによって達成され得る。ＡＤＣ飽和を回避することは、ＲＳＢがデジタル的に補正され得るので、望ましいことがあるが、ＲＳＢのデジタル補正は、ＡＤＣが飽和されない場合のみ可能であり得る。信号スプリッタ７４２は、他の方法でも、たとえば、２つの固定利得増幅器またはバッファを用いて、実装され得る。信号スプリッタ７４２はまた、省略され得、ＬＮＡ７４０は、たとえば、ＬＮＡ内の利得トランジスタに結合された２つのカスコードトランジスタを用いて、第１および第２のＲＦ信号を生成し得る。
【００４４】
[0056]受信機ユニット７４８ａ内で、ダウンコンバータ７５０ａが、第１のＲＦ信号をＲＦからベースバンドにダウンコンバートし、第１のＩ被ダウンコンバート信号およびＱ被ダウンコンバート信号（ＩDC1およびＱDC1）を与える。ダウンコンバータ７５０ａは、それぞれ、ＬＯ生成器７６２ａからの第１のＩ  ＬＯ信号およびＱ  ＬＯ信号（ＩLO1およびＱLO1）を用いて第１のＲＦ信号をダウンコンバートし、ＩDC1信号およびＱDC1信号を与える、ミキサ７５２ａおよび７５２ｂを含む。ＬＯ生成器７６２ａは、図２中のデータプロセッサ２８０の別の例示的な設計である、データプロセッサ７８０からの第１の周波数制御（ＦCTRL1）に基づいて第１の混合周波数においてＩLO1信号およびＱLO1信号を生成する。ミキサ７５２ａおよび７５２ｂからのＩDC1信号およびＱDC1信号は、増幅器７６０ａおよび７６０ｂによって増幅され、低域フィルタ７７０ａおよび７７０ｂによってフィルタ処理されて、第１のＩベースバンド信号およびＱベースバンド信号（ＩBB1およびＱBB1）が生成される。受信機７３０は、データプロセッサ７８０にＩBB1信号およびＱBB1信号を与える。
【００４５】
[0057]受信機ユニット７４８ｂ内で、ダウンコンバータ７５０ｂが、第２のＲＦ信号をＲＦからベースバンドにダウンコンバートし、第２のＩ被ダウンコンバート信号およびＱ被ダウンコンバート信号（ＩDC2およびＱDC2）を与える。ダウンコンバータ７５０ｂは、それぞれ、ＬＯ生成器７６２ｂからの第２のＩ  ＬＯ信号およびＱ  ＬＯ信号（ＩLO2およびＱLO2）を用いて第２のＲＦ信号をダウンコンバートし、ＩDC2信号およびＱDC2信号を与える、ミキサ７５２ｃおよび７５２ｄを含む。ＬＯ生成器７６２ｂは、データプロセッサ７８０からの第２の周波数制御（ＦCTRL2）に基づいて第２の混合周波数においてＩLO2信号およびＱLO2信号を生成する。受信機ユニット７４８ｂのための第２の混合周波数は、以下で説明するように、受信機ユニット７４８ａのための第１の混合周波数とは異なり得る。ミキサ７５２ｃおよび７５２ｄからのＩDC2信号およびＱDC2信号は、増幅器７６０ｃおよび７６０ｄによって増幅され、低域フィルタ７７０ｃおよび７７０ｄによってフィルタ処理されて、第２のＩベースバンド信号およびＱベースバンド信号（ＩBB2およびＱBB2）が生成される。受信機ユニット７４８ｂは、データプロセッサ７８０にＩBB2信号およびＱBB2信号を与える。
【００４６】
[0058]データプロセッサ７８０内で、ＡＤＣ７９０ａおよび７９０ｂが、少なくとも１つのキャリアの第１のセットについて、受信機ユニット７４８ａからＩBB1信号およびＱBB1信号を受信し、デジタル化し、Ｉ  ＡＤＣサンプルおよびＱ  ＡＤＣサンプルを与える。同様に、ＡＤＣ７９０ｃおよび７９０ｄが、少なくとも１つのキャリアの第２のセットについて、ＩBB2信号およびＱBB2信号を受信し、デジタル化し、Ｉ  ＡＤＣサンプルおよびＱ  ＡＤＣサンプルを与える。デジタルフィルタ７９２ａ〜７９２ｄが、それぞれＡＤＣ７９０ａ〜７９０ｄからのＡＤＣサンプルをフィルタ処理し、フィルタ処理されたサンプルを与える。フィルタ７９２からのフィルタ処理されたサンプルおよび／またはＡＤＣ７９０からのＡＤＣサンプルはデジタル的に処理（たとえば、復調および復号）されて、ＵＥ１１０に送られたデータが復元され得る。
【００４７】
[0059]電力測定ユニット７９４が、以下で説明するように、フィルタ処理されたサンプルおよび／またはＡＤＣサンプルに基づいて、異なるキャリア上での送信の受信電力を測定し得る。電力検出器７６４が、受信機ユニット７４８内の受信ＲＦ信号、入力ＲＦ信号、および／またはベースバンド信号の受信電力を測定し得る。受信機コントローラ７９６が、ユニット７９４および／または電力検出器７６４からの受信電力測定に基づいて受信機７３０の動作を制御し得る。
【００４８】
[0060]図７は、１つのステップにおいてＲＦとベースバンドとの間で信号を周波数変換する直接変換アーキテクチャをもつ受信機７３０の例示的な設計を示している。直接変換は、一般にゼロ中間周波数（ＺＩＦ：zero intermediate frequency）変換とも呼ばれる。受信機は、複数のステップにおいてＲＦとベースバンドとの間で信号を変換するスーパーヘテロダインアーキテクチャを用いても実装され得る。
【００４９】
[0061]概して、受信機における信号の調整は、ミキサ、増幅器、フィルタなどの１つまたは複数の段によって実行され得る。受信機中の回路は、図７に示す構成とは異なって構成され得る。たとえば、低域フィルタ７７０は、増幅器７６０の後の代わりに増幅器７６０の前に位置し得る。図７に示されていない他の回路も、受信機において信号を調整するために使用され得る。たとえば、バッファおよび／またはフィルタが、ＬＮＡ７４０とダウンコンバータ７５０との間に挿入され得る。増幅器も低域フィルタ７７０の後に挿入され得る。また、図７中のいくつかの回路が省略され得る。受信機７３０の全部または一部分が、１つまたは複数のアナログＩＣ、ＲＦＩＣ、混合信号ＩＣ、回路モジュールなどの上に実装され得る。
【００５０】
[0062]図８に、平衡または不平衡キャリア上での複数の送信のために良好な性能を与えることができる受信機８３０ａおよび８３０ｂの例示的な設計のブロック図を示す。受信機８３０ａは、図２中の受信機２３０ａａ〜２３０ａｋのいずれか１つのために使用され得、フロントエンド回路２２４を介してアンテナ２１０に結合される。受信機８３０ｂは、図２中の受信機２３０ｂａ〜２３０ｂｍのいずれか１つのために使用され得、フロントエンド回路２２６を介してアンテナ２１２に結合される。各受信機８３０は、図４について上記で説明したように結合される、ＬＮＡ８４０と、２つのミキサ８５２を備えるダウンコンバータ８５０と、２つの増幅器８６０と、２つの低域フィルタ８７０と、ＬＯ生成器８６２とを含む。受信機８３０ａおよび８３０ｂは、同じまたは異なるアナログＩＣ、ＲＦＩＣ、混合信号ＩＣ、回路モジュールなどの上に実装され得る。
【００５１】
[0063]受信機８３０ａおよび８３０ｂは、複数のキャリア上で複数の送信を受信するために使用され得る。たとえば、受信機８３０ａは、キャリアＣ１上で送信を受信するために使用され得る。受信機８３０ａ内で、ダウンコンバータ８５０ａは、ＬＯ生成器８６２ａからの第１の混合周波数におけるＩLO1信号およびＱLO1信号を用いてＬＮＡ８４０ａからの増幅されたＲＦ信号をダウンコンバートし得る。受信機８３０ｂは、キャリアＣ２上で送信を受信するために使用され得る。受信機８３０ｂ内で、ダウンコンバータ８５０ｂは、ＬＯ生成器８６２ｂからの第２の混合周波数におけるＩLO2信号およびＱLO2信号を用いてＬＮＡ８４０ｂからの増幅されたＲＦ信号をダウンコンバートし得る。
【００５２】
[0064]図９に、図７中の２つの受信機ユニット７４８または図８中の２つの受信機８３０中に含まれ得る、２つのダウンコンバータを使用した２つの不平衡キャリアＣ１およびＣ２上での２つの送信のダウンコンバージョンを示す。例示９１２に、アンテナからの受信ＲＦ信号を示す。受信ＲＦ信号は、２つのキャリアＣ１およびＣ２上での２つの送信を含む。キャリアＣ１はｆC1の周波数を中心とし、キャリアＣ２はｆC2の周波数を中心とする。キャリアＣ１およびＣ２上での２つの送信は、不平衡キャリアを用いてＰC1およびＰC2の異なる受信電力レベルにおいて受信される。
【００５３】
[0065]例示９１４に、受信機からのキャリアＣ１上での送信のためのベースバンド信号を示す。受信ＲＦ信号は、ｆC1の周波数における第１のＬＯ信号を用いて第１のダウンコンバータによってダウンコンバートされ、それにより、キャリアＣ１上での送信はＤＣを中心とする。例示９１４によって示すように、受信機におけるＩ／Ｑ不平衡により、キャリアＣ２上での送信は、キャリアＣ１の左に現れるＲＳＢを引き起こす。したがって、キャリアＣ１上での送信は、キャリアＣ２上での送信によるＲＳＢを観測しない。
【００５４】
[0066]例示９１６に、同じまたは異なる受信機からのキャリアＣ２上での送信のためのベースバンド信号を示す。受信ＲＦ信号は、ｆC2の周波数における第２のＬＯ信号を用いて第２のダウンコンバータによってダウンコンバートされ、それにより、キャリアＣ２上での送信はＤＣを中心とする。例示９１６によって示すように、受信機におけるＩ／Ｑ不平衡により、キャリアＣ１上での送信は、キャリアＣ２の右に現れるＲＳＢを引き起こす。したがって、キャリアＣ２上での送信は、キャリアＣ１上での送信によるＲＳＢを観測しない。キャリアＣ２上での送信のＣ／Ｎは、キャリアＣ１上での送信によるＲＳＢによって劣化されない。
【００５５】
[0067]図１０に、２つのキャリアＣ１およびＣ２上での２つの送信を処理するために１つまたは２つのダウンコンバータを選択するためのプロセス１０００の例示的な設計を示す。受信ＲＦ電力を測定する（ブロック１０１２）。キャリアＣ１上での送信の受信電力（ＰC1）を測定する（ブロック１０１４）。キャリアＣ２上での送信の受信電力（ＰC2）をも測定する（ブロック１０１６）。
【００５６】
[0068]受信ＲＦ電力が第１のしきい値よりも大きいかどうかに関して、決定が行われ得る（ブロック１０１８）。ブロック１０１８について答えが「はい」である場合、キャリアＣ１とキャリアＣ２との間の不平衡を示す、ＰC1とＰC2との間の絶対差が第２のしきい値よりも大きいかどうかに関して、決定が行われ得る（ブロック１０２０）。受信ＲＦ電力が第１のしきい値よりも大きく、キャリアＣ１とキャリアＣ２との間の不平衡が第２のしきい値よりも大きい場合、キャリアＣ１およびＣ２上での２つの送信を処理するために異なる混合周波数における（たとえば、図７中の２つの受信機ユニット７４８または図８中の２つの受信機８３０中の）２つのダウンコンバータを選択し、使用する（ブロック１０２２）。そうではなく、（ｉ）受信ＲＦ電力が第１のしきい値よりも小さい、または（ｉｉ）キャリアＣ１とキャリアＣ２との間の不平衡が第２のしきい値よりも小さい場合、キャリアＣ１およびＣ２上での２つの送信を処理するために（たとえば、図７中の１つの受信機ユニット７４８または図８中の１つの受信機８３０中の）１つのダウンコンバータを選択する（ブロック１０２４）。条件（ｉ）は、図６Ａ中の例示６１４によって示したように、ＲＳＢが雑音フロアよりも低い場合に対応し得る。この場合、２つのダウンコンバータを使用することは、性能をわずかに改善し得るが、バッテリー電力を消費する。条件（ｉｉ）は、より強い送信からのＲＳＢによる、より弱い送信のＣ／Ｎの許容できる劣化の場合に対応し得る。どちらの場合も、電力消費を低減するために単一の受信機ユニットが使用され得る。
【００５７】
[0069]第１および第２のしきい値は、様々な方法で、たとえば、性能と電力消費との間のトレードオフに基づいて、決定され得る。第１および第２のしきい値は、測定、コンピュータシミュレーションなどにも基づいて決定され得る。
【００５８】
[0070]上記で説明したように、不平衡キャリア上で複数の送信を受信するために、複数のダウンコンバータが使用され得る。隣接するまたは近くのキャリア上での干渉送信からの干渉を軽減するために複数のキャリア上で複数の送信を受信するためにも、複数のダウンコンバータが使用され得る。
【００５９】
[0071]図１１に、１つまたは２つのダウンコンバータを使用した３つのキャリア上での所望の送信のダウンコンバージョンを示す。図１１に示す例では、３つの送信がキャリアＣ１、Ｃ２およびＣ４上でＵＥ１１０に送られる。ある送信が、キャリアＣ３上で別のＵＥ１１２に送られる。キャリアＣ１〜Ｃ４は、図１１に示すように、周波数において互いに隣接する。ＵＥ１１０は、例示１１１２によって示すように、同様の受信電力レベルにおいてキャリアＣ１、Ｃ２およびＣ４上でＵＥ１１０の送信を受信し得、はるかに高い受信電力レベルにおいてキャリアＣ３上で干渉送信を受信し得る。
【００６０】
[0072]例示１１１４に、４つのキャリアＣ１〜Ｃ４の中心周波数である、ｆcの周波数におけるＬＯ信号とともに１つのダウンコンバータを使用した３つのキャリア上での３つの所望の送信のダウンコンバージョンを示す。この場合、キャリアＣ３上での干渉送信によるＲＳＢが、キャリアＣ２上での所望の送信に対する雑音として働く。キャリアＣ２上での所望の送信のＣ／Ｎは、キャリアＣ３上での干渉送信によるＲＳＢによって劣化され得る。
【００６１】
[0073]例示１１１６および１１１８に、２つのダウンコンバータを使用した３つのキャリア上での３つの所望の送信のダウンコンバージョンを示す。第１のダウンコンバータが、キャリアＣ１およびＣ２の中心周波数である、ｆaの周波数における第１のＬＯ信号を用いてダウンコンバージョンを実行する。第１のダウンコンバータからのベースバンド信号のスペクトルが例示１１１６によって示されている。第１のＬＯ信号が周波数ｆaにおけるＬＯ信号であるので、キャリアＣ３上での干渉送信によるＲＳＢは、キャリアＣ１の左にあり、キャリアＣ１およびＣ２上での所望の送信のＣ／Ｎを劣化させない。第２のダウンコンバータが、キャリアＣ４の中心周波数である、ｆC4の周波数における第２のＬＯ信号を用いてダウンコンバージョンを実行する。第２のダウンコンバータからのベースバンド信号のスペクトルが例示１１１８によって示されている。第２のＬＯ信号が周波数ｆC4におけるＬＯ信号であるので、キャリアＣ３上での干渉送信によるＲＳＢは、キャリアＣ４の右にあり、キャリアＣ４上での所望の送信のＣ／Ｎを劣化させない。
【００６２】
[0074]図１２に、２つのダウンコンバータを使用した３つのキャリア上での所望の送信のダウンコンバージョンを示す。図１２に示す例では、３つの送信がキャリアＣ１、Ｃ２およびＣ４上でＵＥ１１０に送られる。２つの送信が２つのキャリアＣ０およびＣ３上で１つまたは複数の他のＵＥに送られる。キャリアＣ０〜Ｃ４は、図１２に示すように、周波数において互いに隣接する。ＵＥ１１０は、例示１２１２によって示すように、同様の受信電力レベルにおいてキャリアＣ１、Ｃ２およびＣ４上でＵＥ１１０の送信を受信し得、はるかに高い受信電力レベルにおいてキャリアＣ０およびＣ３上で干渉送信を受信し得る。
【００６３】
[0075]例示１２１４に、キャリアＣ１〜Ｃ４の中心周波数である、ｆcの周波数におけるＬＯ信号とともに１つのダウンコンバータを使用した３つのキャリア上での３つの所望の送信のダウンコンバージョンを示す。この場合、キャリアＣ３上での干渉送信によるＲＳＢが、キャリアＣ２上での所望の送信に対する雑音として働く。キャリアＣ２上での所望の送信のＣ／Ｎは、キャリアＣ３上での干渉送信によるＲＳＢによって劣化され得る。
【００６４】
[0076]例示１２１６および１２１８に、２つのダウンコンバータを使用した３つのキャリア上での３つの所望の送信のダウンコンバージョンを示す。第１のダウンコンバータが、キャリアＣ１およびＣ２の中心周波数である、ｆaの周波数における第１のＬＯ信号を用いてダウンコンバージョンを実行する。第１のダウンコンバータからのベースバンド信号のスペクトルが例示１２１６によって示されている。キャリアＣ０およびＣ３上での干渉送信によるＲＳＢは、キャリアＣ１またはＣ２にかからず、キャリアＣ１およびＣ２上での所望の送信のＣ／Ｎを劣化させない。第２のダウンコンバータが、キャリアＣ４の中心周波数である、ｆC4の周波数における第２のＬＯ信号を用いてダウンコンバージョンを実行する。第２のダウンコンバータからのベースバンド信号のスペクトルが例示１２１８によって示されている。キャリアＣ０およびＣ３上での干渉送信によるＲＳＢは、キャリアＣ４にかからず、キャリアＣ４上での所望の送信のＣ／Ｎを劣化させない。
【００６５】
[0077]図１１および図１２に示したように、ダウンコンバータのためのＬＯ信号の周波数は、近くのキャリア上での干渉送信によるＲＳＢが所望の送信と重複しない（または最小限に重複する）ように、選択され得る。これは、干渉送信からのＲＳＢによる所望の送信のＣ／Ｎの劣化を回避（または軽減）し得る。
【００６６】
[0078]例示的な設計では、干渉送信からのＲＳＢが所望の送信のＣ／Ｎを十分に劣化させるかどうかを決定することによって複数のキャリア上で複数の送信を受信するために、１つまたは複数のダウンコンバータが選択され得る。何個のダウンコンバータを使用すべきかと、各ダウンコンバータについてどの混合周波数を使用すべきかとの決定が、様々な方法で実行され得る。例示的な設計では、異なる仮定が評価され得、各仮定は、ダウンコンバータの特定の数と、各ダウンコンバータのための特定の混合周波数とに対応する。最良の性能を与えることができる仮定が、使用のために選択され得る。各仮定は、（ｉ）各ダウンコンバータのために選択された混合周波数におけるＬＯ信号を用いてそのダウンコンバータのためのダウンコンバージョンを実行することと、（ｉｉ）ダウンコンバージョンの後の所望の送信および干渉送信によるＲＳＢを考慮に入れることによって各所望の送信のＣ／Ｎを決定することとによって、評価され得る。
【００６７】
[0079]図１１に示した例では、第１の仮定が、例示１１１４によって示したように、ｆcの混合周波数における１つのダウンコンバータに対応し得る。この仮定により、キャリアＣ２上での所望の送信のＣ／Ｎの過大な劣化が生じ得る。第２の仮定が、例示１１１６および１１１８によって示すように、ｆaおよびｆC4の混合周波数における２つのダウンコンバータに対応し得る。この仮定は、キャリアＣ３上での干渉送信によるキャリアＣ１、Ｃ２およびＣ４上での所望の送信のＣ／Ｎの劣化を回避し得る。１つまたは複数の追加の仮定も評価され得る。
【００６８】
[0080]概して、評価すべき所与の仮定が、１つまたは複数のダウンコンバータをカバーし得る。各ダウンコンバータは、１つまたは複数のキャリア上での１つまたは複数の所望の送信のために使用され得る。各ダウンコンバータについて、所望の送信のＣ／Ｎの劣化が、（ｉ）所望の送信の受信電力と、（ｉｉ）所望の送信をもつキャリアにかかるＲＳＢを引き起こすことがあるキャリア上での干渉送信の受信電力とに基づいて決定され得る。干渉送信をもつキャリアは干渉キャリアと呼ばれることがあり、所望の送信をもつキャリアは所望のキャリアと呼ばれることがある。各ダウンコンバータのための干渉キャリアは、そのダウンコンバータのための所望のキャリアの既知の周波数と混合周波数とに基づいて決定され得る。所望の送信の受信電力ならびに干渉送信の受信電力は、当該の１つまたは複数のキャリア上で狭帯域電力測定を行うことによって決定され得る。受信機が、（ｉ）ＬＯ生成器のための好適な周波数を選択することと、（ｉｉ）フィルタがチューナブルである場合、受信経路におけるフィルタ（たとえば、図７中のフィルタ７７０および／または７９２）のための好適な帯域幅を選択することと、（ｉｉｉ）デジタルサンプルの受信電力を測定することとによって、１つまたは複数のキャリアの狭帯域電力の測定を行うように構成され得る。狭帯域電力測定は、他の方法でも、たとえば、デジタルサンプルの代わりにアナログベースバンド信号に基づいて、行われ得る。
【００６９】
[0081]所望の送信のＣ／Ｎの劣化は、干渉送信（または干渉電力）のための狭帯域電力測定と所望の送信（または所望の電力）のための狭帯域電力測定とに基づいて決定され得る。１つの例示的な設計では、干渉電力が所定のしきい値を超える場合、所望の送信のＣ／Ｎの過大な劣化が宣言され得る。この例示的な設計は、図９中のブロック９１８において受信ＲＦ信号が第１のしきい値を超えるかどうかを決定することに似ていることがある。別の例示的な設計では、干渉電力と所望の電力との間の差が所定のデルタを超える場合、所望の送信のＣ／Ｎの過大な劣化が宣言され得る。この例示的な設計は、図１０中のブロック１０２０において２つの送信の受信電力間の差が第２のしきい値を超えるかどうかを決定することに似ていることがある。また別の例示的な設計では、（ｉ）干渉電力が所定のしきい値を超える、および（ｉｉ）干渉電力と所望の電力との間の差が所定のデルタを超える、の両方の場合、所望の送信のＣ／Ｎの過大な劣化が宣言され得る。すべての例示的な設計について、過大なＣ／Ｎ劣化が宣言される場合は複数のダウンコンバータが選択され得、過大なＣ／Ｎ劣化が宣言されない場合は単一のダウンコンバータが選択され得る。
【００７０】
[0082]別の例示的な設計では、それらの両方がデジタル的に計算され得る、広帯域電力と狭帯域電力とに基づいて、１つのダウンコンバータまたは２つのダウンコンバータのいずれかが選択され得る。１つの設計では、広帯域電力（ＰWB）は、以下のように、Ｉ  ＡＤＣサンプルおよびＱ  ＡＤＣサンプル（ＩSAMPおよびＱSAMP）に基づいて計算され得る。
【数４】
0006312653.tif 000005
【００７１】
式（４）における広帯域電力測定は、ダウンコンバータの後に位置するアナログフィルタが、広帯域幅を有し、当該の帯域の全部または大部分を通過すると仮定する。
【００７２】
[0083]１つの設計では、狭帯域電力（ＰNB）は、以下のように、図７中のデジタルフィルタ７９２からのフィルタ処理されたサンプル（ＩFILおよびＱFIL）に基づいて計算され得る。
【数５】
0006312653.tif 000006
【００７３】
式（５）における狭帯域電力測定は、ダウンコンバータによってカバーされる１つまたは複数の所望のキャリアのためのものであり得る。広帯域電力および狭帯域電力は他の方法でも測定され得る。たとえば、広帯域電力は、ＬＮＡ７４０からの増幅されたＲＦ信号に基づいて図７中の電力検出器７６４によって測定され得る。狭帯域電力は、低域フィルタ７７０からのフィルタ処理されたベースバンド信号に基づいて測定され得る。
【００７４】
[0084]図１３に、複数のキャリア上での複数の送信を処理するために１つまたは２つのダウンコンバータを選択するためのプロセス１３００の例示的な設計を示す。たとえば、式（４）に示したようにＡＤＣサンプルに基づいて、広帯域電力を測定する（ブロック１３１２）。たとえば、式（５）に示したようにフィルタ処理されたサンプルに基づいて、狭帯域電力をも測定する（ブロック１３１４）。広帯域電力と狭帯域電力との間の差がフェージングマージンしきい値よりも大きいかどうかに関して、決定が行われ得る（ブロック１３１６）。フェージングマージンしきい値は、性能と電力消費との間のトレードオフに基づいて選択され得る。ブロック１３１６について答えが「はい」である場合、複数のキャリア上での複数の送信を処理するために異なる混合周波数における複数のダウンコンバータを選択し、使用する（ブロック１３１８）。他の場合、複数のキャリア上での複数の送信を処理するために１つのダウンコンバータを選択する（ブロック１３２０）。
【００７５】
[0085]１つの設計では、使用のために１つのダウンコンバータまたは２つのダウンコンバータのいずれかを選択するために、各しきい値について単一の値が使用され得る。別の設計では、ヒステリシスを与えるために、各しきい値について複数の値が使用され得る。たとえば、１つのダウンコンバータから２つのダウンコンバータに切り替えるとき、第１および第２のしきい値のための値の第１のセットが図１０において使用され得る。２つのダウンコンバータから１つのダウンコンバータに切り替えるとき、第１および第２のしきい値のための値の第２のセットが図１０において使用され得る。
【００７６】
[0086]概して、電力消費を低減するために、可能なときはいつでも、複数のキャリア上で複数の送信を受信するために（たとえば、図７中の１つの受信機ユニット７４８または図８中の１つの受信機８３０中の）単一のダウンコンバータを使用することが望ましいことがある。たとえば、図６Ａに示したように、当該のキャリアにかかるＲＳＢが雑音フロアを下回るとき、単一のダウンコンバータが使用され得る。より弱い送信のＣ／Ｎの十分な改善が予想され得るとき、複数のキャリア上で複数の送信を受信するために複数のダウンコンバータ（たとえば、図７中の２つの受信機ユニット７４８中の、または図８中の２つの受信機８３０中の２つのダウンコンバータ）を使用することが望ましいことがある。たとえば、図６Ａおよび図６Ｂに示したように、あるキャリア上でのより強い送信のＲＳＢが、雑音フロアを上回り、別のキャリア上でのより弱い送信のＣ／Ｎを制限するとき、２つのダウンコンバータが使用され得る。
【００７７】
[0087]１つまたは２つのダウンコンバータが、複数のキャリア上での複数の送信を処理するために様々な基準に基づいて使用のために動的に選択され得る。各ダウンコンバータは、１つまたは複数のキャリアのセットのための好適な混合周波数におけるＬＯ信号を用いてＲＦ信号をダウンコンバートすることができる。異なるダウンコンバータは、より強い送信からのＲＳＢによる、より弱い送信のＣ／Ｎの劣化を回避または軽減するために、異なる混合周波数におけるＬＯ信号を用いてそれらのＲＦ信号をダウンコンバートし得る。
【００７８】
[0088]明快のために、複数のキャリア上で複数の送信を受信するための１つまたは２つのダウンコンバータの使用について上記で説明した。概して、異なるキャリア上で任意の数の送信を受信するために任意の数のダウンコンバータが使用され得る。たとえば、ＵＥが、ＬＴＥリリース１１では、キャリアアグリゲーションについて最高５つのキャリアで構成され得る。したがって、最高５つのキャリア上で最高５つの送信を受信するために最高５つのダウンコンバータが使用され得る。これらの送信のＣ／Ｎが、キャリア間の不平衡によって、および／または近くのキャリア上での干渉送信により、十分に劣化されないとき、すべてのキャリア上で所望の送信を受信するために１つのダウンコンバータが使用され得る。代替的に、これらのキャリア間の不平衡および／または近くのキャリア上での干渉送信が、所望の送信のＣ／Ｎを十分に劣化させるとき、複数のキャリア上で所望の送信を受信するために複数のダウンコンバータが使用され得る。極端な場合、すべての他のキャリア上での送信からのＲＳＢを回避するために、各キャリア上での所望の送信のために１つのダウンコンバータが使用され得る。使用のために何個のダウンコンバータを選択すべきかを決定するために、各しきい値について１つまたは複数の値が使用され得る。
【００７９】
[0089]例示的な設計では、装置（たとえば、ワイヤレスデバイス、ＩＣ、回路モジュールなど）が、第１および第２のダウンコンバータを含み得る。第１のダウンコンバータ（たとえば、図７中のダウンコンバータ７５０ａまたは図８中のダウンコンバータ８５０ａ）は、第１のダウンコンバータが選択されるとき、（たとえば、図９の上部に示したように）ワイヤレスデバイスに複数のキャリア上で送られた複数の送信を備える第１のＲＦ信号をダウンコンバートし得る。第２のダウンコンバータ（たとえば、図７中のダウンコンバータ７５０ｂまたは図８中のダウンコンバータ８５０ｂ）は、第２のダウンコンバータが選択されるとき、複数のキャリア上で送られた複数の送信を備える第２のＲＦ信号をダウンコンバートし得る。第１のダウンコンバータは、少なくとも１つの基準が満たされないとき、ダウンコンバージョンを実行するために選択され得る。第１および第２のダウンコンバータは、少なくとも１つの基準が満たされるとき、異なる混合周波数に基づいてダウンコンバージョンを実行するために選択され得る。第１および第２のダウンコンバータは、直接変換アーキテクチャまたはスーパーヘテロダインアーキテクチャを用いて実装され得る。
【００８０】
[0090]例示的な設計では、装置はＬＮＡ（たとえば、図７中のＬＮＡ７４０）をさらに含み得る。ＬＮＡは、アンテナからの入力ＲＦ信号を増幅し、増幅されたＲＦ信号を与え得る。第１および第２のＲＦ信号は、増幅されたＲＦ信号に基づいて生成され得る。別の例示的な設計では、装置は、第１および第２のＬＮＡを含み得る。第１のＬＮＡ（たとえば、図８中のＬＮＡ８４０ａ）は、第１のアンテナからの第１の入力ＲＦ信号を増幅し、第１のＲＦ信号を与え得る。第２のＬＮＡ（たとえば、図８中のＬＮＡ８４０ｂ）は、第２のアンテナからの第２の入力ＲＦ信号を増幅し、第２のＲＦ信号を与え得る。
【００８１】
[0091]例示的な設計では、装置は、第１および第２の増幅器をさらに含み得る。第１の増幅器（たとえば、図７中の増幅器７４４ａ）は、第１の可変利得に基づいて第１のＲＦ信号を生成し得る。第２の増幅器（たとえば、図７中の増幅器７４４ｂ）は、第２の可変利得に基づいて第２のＲＦ信号を生成し得る。例示的な設計では、第１の可変利得と第２の可変利得は、複数のキャリア上での複数の送信の受信電力レベルに基づいて独立して調整され得る。たとえば、第１の可変利得は、第１のダウンコンバータによってダウンコンバートされている少なくとも１つの送信の受信電力レベルに基づいて決定され得る。第２の可変利得は、第２のダウンコンバータによってダウンコンバートされている少なくとも１つの他の送信の受信電力レベルに基づいて決定され得る。第１および第２の可変利得は、第１および第２のダウンコンバータの後に位置するＡＤＣの飽和を回避するために選択され得る。
【００８２】
[0092]例示的な設計では、複数のキャリア上での複数の送信は、たとえば、図９の上部に示したように、（ｉ）ワイヤレスデバイスに第１の基地局によって第１のキャリア上で送られた第１の送信と、（ｉｉ）ワイヤレスデバイスに第２の基地局によって第２のキャリア上で送られた第２の送信とを備え得る。複数の送信は、たとえば、図１１および図１２の上部に示したように、１つまたは複数の追加の送信をも備え得る。第１の基地局は、第２の基地局とコロケートされることもコロケートされないこともある。
【００８３】
[0093]例示的な設計では、少なくとも１つの基準は、ワイヤレスデバイスにおける受信ＲＦ信号の受信電力が第１のしきい値よりも大きい場合に満たされる第１の基準を備え得る（たとえば、図１０中のブロック１０１８）。少なくとも１つの基準は、複数のキャリアのうちの２つ上での複数の送信のうちの２つの受信電力間の差が第２のしきい値よりも大きい場合に満たされる第２の基準を備え得る（たとえば、図１０中のブロック１０２０）。それら２つの送信の一方は、（たとえば、図６Ａに示したように）それら２つの送信の他方の送信に対する干渉として働くＲＳＢを引き起こし得る。少なくとも１つの基準は、上記で説明したように、不要な送信からのＲＳＢによる何らかの所望の送信のＣ／Ｎの劣化を回避するために、必要なときに、２つのダウンコンバータを選択するように定義され得る。
【００８４】
[0094]例示的な設計では、少なくとも１つの基準は、第１のキャリア上での第１の送信の受信電力が第２のキャリア上での第２の送信の受信電力をしきい値だけ超える場合に満たされる基準を備え得る。第１の送信は、第２のキャリアにかかる、および第２の送信に対する干渉として働く、ＲＳＢを引き起こし得る。第２の送信は、ワイヤレスデバイスに送られた複数の送信のうちの１つであり得る。第１の送信は、ワイヤレスデバイスに送られた複数の送信のうちの別の１つであり得る。代替的に、第１の送信は、別のワイヤレスデバイスに送られた干渉送信であり得る。
【００８５】
[0095]また別の例示的な設計では、少なくとも１つの基準は、複数のキャリアを備える帯域のための広帯域電力が１つまたは複数のキャリアのための狭帯域電力をしきい値だけ超える場合に満たされる基準を備え得る（たとえば、図１３中のブロック１３１６）。少なくとも１つの基準は他の基準をも備え得る。
【００８６】
[0096]例示的な設計では、第１のダウンコンバータのための第１の混合周波数および第２のダウンコンバータのための第２の混合周波数は、１つまたは複数の干渉送信によるＲＳＢが複数のキャリアにかかることを回避するために選択され得る。たとえば、複数の送信は、たとえば、図９に示したように、第１の周波数における第１のキャリア上での第１の送信と、第２の周波数における第２のキャリア上での第２の送信とを備え得る。別の例として、複数の送信は、たとえば、図１１および図１２に示したように、第１の周波数を中心とする２つの隣接するキャリア上での２つの送信と、第２の周波数における第３のキャリア上での第３の送信とを備え得る。両方の例について、第１および第２のダウンコンバータが選択されるとき、第１のダウンコンバータは、第１の周波数における第１のＬＯ信号に基づいて第１のＲＦ信号をダウンコンバートし得、第２のダウンコンバータは、第２の周波数における第２のＬＯ信号に基づいて第２のＲＦ信号をダウンコンバートし得る。
【００８７】
[0097]図１４に、キャリアアグリゲーションについて複数の送信を受信するためのプロセス１４００の例示的な設計を示す。プロセス１４００は、（以下で説明するように）ワイヤレスデバイス／ＵＥによって、または何らかの他のエンティティによって実行され得る。少なくとも１つの基準が満たされないとき、ワイヤレスデバイスに複数のキャリア上で送られた複数の送信のためのダウンコンバージョンを実行するために第１のダウンコンバータを選択する（ブロック１４１２）。少なくとも１つの基準が満たされるとき、異なる混合周波数に基づいて、ワイヤレスデバイスに複数のキャリア上で送られた複数の送信のためのダウンコンバージョンを実行するために第１のダウンコンバータと第２のダウンコンバータとを選択する（ブロック１４１４）。例示的な設計では、少なくとも１つの基準は、（ｉ）ワイヤレスデバイスにおける受信ＲＦ信号の受信電力が第１のしきい値よりも大きい場合に満たされる第１の基準、または（ｉｉ）複数のキャリアのうちの２つ上での複数の送信のうちの２つの受信電力間の差が第２のしきい値よりも大きい場合に満たされる第２の基準、または（ｉｉｉ）第１のキャリア上での干渉送信の受信電力が第２のキャリア上での所望の送信の受信電力を第３のしきい値だけ超える場合に満たされる第３の基準、または（ｉｖ）何らかの他の基準、または（ｖ）それらの組合せを備え得る。
【００８８】
[0098]本明細書で説明する受信機およびダウンコンバータは、ＩＣ、アナログＩＣ、ＲＦＩＣ、混合信号ＩＣ、ＡＳＩＣ、プリント回路板（ＰＣＢ）、電子デバイスなどの上に実装され得る。上記受信機およびダウンコンバータはまた、相補型金属酸化物半導体（ＣＭＯＳ）、ＮチャネルＭＯＳ（ＮＭＯＳ）、ＰチャネルＭＯＳ（ＰＭＯＳ）、バイポーラ接合トランジスタ（ＢＪＴ）、バイポーラＣＭＯＳ（ＢｉＣＭＯＳ）、シリコンゲルマニウム（ＳｉＧｅ）、ガリウムヒ素（ＧａＡｓ）など、様々なＩＣプロセス技術を用いて作製され得る。
【００８９】
[0099]本明細書で説明する受信機とダウンコンバータとを実装する装置は、スタンドアロンデバイスであり得るか、またはより大きいデバイスの一部であり得る。デバイスは、（ｉ）スタンドアロンＩＣ、（ｉｉ）データおよび／または命令を記憶するためのメモリＩＣを含み得る１つまたは複数のＩＣのセット、（ｉｉｉ）ＲＦ受信機（ＲＦＲ）またはＲＦ送信機／受信機（ＲＴＲ）などのＲＦＩＣ、（ｉｖ）移動局モデム（ＭＳＭ）などのＡＳＩＣ、（ｖ）他のデバイス内に埋め込まれ得るモジュール、（ｖｉ）受信機、セルラーフォン、ワイヤレスデバイス、ハンドセット、またはモバイルユニット、（ｖｉｉ）その他であり得る。
【００９０】
[00100]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００９１】
[00101]本開示についての以上の説明は、いかなる当業者も本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］  装置であって、前記装置は下記を備える、
ワイヤレスデバイスに複数のキャリア上で送られた複数の送信を備える第１の無線周波数（ＲＦ）信号をダウンコンバートするように構成された第１のダウンコンバータ、前記第１のダウンコンバータは、少なくとも１つの基準が満たされないとき、ダウンコンバージョンを実行するために選択される、と、
前記複数のキャリア上で送られた前記複数の送信を備える第２のＲＦ信号をダウンコンバートするように構成された第２のダウンコンバータ、前記第１および第２のダウンコンバータは、前記少なくとも１つの基準が満たされるとき、異なる混合周波数に基づいてダウンコンバージョンを実行するために選択される。
［Ｃ２］  Ｃ１に記載の装置は下記をさらに備える、
アンテナからの入力ＲＦ信号を増幅し、増幅されたＲＦ信号を与えるように構成された低雑音増幅器（ＬＮＡ）、前記第１および第２のＲＦ信号は、前記増幅されたＲＦ信号に基づいて生成される。
［Ｃ３］  Ｃ１に記載の装置は下記をさらに備える、
第１のアンテナからの第１の入力ＲＦ信号を増幅し、前記第１のＲＦ信号を与えるように構成された第１の低雑音増幅器（ＬＮＡ）と、
第２のアンテナからの第２の入力ＲＦ信号を増幅し、前記第２のＲＦ信号を与えるように構成された第２のＬＮＡ。
［Ｃ４］  Ｃ１に記載の装置は下記をさらに備える、
第１の可変利得に基づいて前記第１のＲＦ信号を生成するように構成された第１の増幅器と、
第２の可変利得に基づいて前記第２のＲＦ信号を生成するように構成された第２の増幅器。
［Ｃ５］  Ｃ４に記載の装置であって、
前記第１の可変利得が、前記複数の送信のうちの少なくとも１つの送信の受信電力レベルに基づいて決定され、前記第２の可変利得が、前記複数の送信のうちの少なくとも１つの他の送信の受信電力レベルに基づいて決定される、
前記装置。
［Ｃ６］  Ｃ１に記載の装置であって、
前記複数のキャリア上での前記複数の送信が、前記ワイヤレスデバイスに第１の基地局によって第１のキャリア上で送られた第１の送信と、前記ワイヤレスデバイスに第２の基地局によって第２のキャリア上で送られた第２の送信とを備え、前記第１の基地局が前記第２の基地局とコロケートされない、
前記装置。
［Ｃ７］  Ｃ１に記載の装置であって、
前記少なくとも１つの基準は、受信ＲＦ信号の受信電力がしきい値よりも大きい場合に満たされる基準を備える、
前記装置。
［Ｃ８］  Ｃ１に記載の装置であって、
前記複数のキャリア上での前記複数の送信が、第１のキャリア上での第１の送信と、第２のキャリア上での第２の送信とを備え、前記少なくとも１つの基準は、前記第１の送信の受信電力と前記第２の送信の受信電力との間の差がしきい値よりも大きい場合に満たされる基準を備える、
前記装置。
［Ｃ９］  Ｃ１に記載の装置であって、
前記少なくとも１つの基準は、第１のキャリア上での第１の送信の受信電力が第２のキャリア上での第２の送信の受信電力をしきい値だけ超える場合に満たされる基準を備え、前記第２の送信が、前記ワイヤレスデバイスに送られた前記複数の送信のうちの１つである、
前記装置。
［Ｃ１０］  Ｃ１に記載の装置であって、
前記少なくとも１つの基準は、前記複数のキャリアを備える帯域のための広帯域電力が１つまたは複数のキャリアのための狭帯域電力をしきい値だけ超える場合に満たされる基準を備える、
前記装置。
［Ｃ１１］  Ｃ１に記載の装置であって、
前記第１のダウンコンバータのための第１の混合周波数および前記第２のダウンコンバータのための第２の混合周波数が、１つまたは複数の干渉送信による残留側波帯（ＲＳＢ）が前記複数のキャリアにかかることを回避するために選択される、
前記装置。
［Ｃ１２］  Ｃ１に記載の装置であって、
前記複数のキャリア上での前記複数の送信が、第１の周波数における第１のキャリア上での第１の送信と、第２の周波数における第２のキャリア上での第２の送信とを備え、前記第１および第２のダウンコンバータが選択されるとき、前記第１のダウンコンバータが、前記第１の周波数における第１の局部発振器（ＬＯ）信号に基づいて前記第１のＲＦ信号をダウンコンバートし、前記第２のダウンコンバータが、前記第２の周波数における第２のＬＯ信号に基づいて前記第２のＲＦ信号をダウンコンバートする、
前記装置。
［Ｃ１３］  Ｃ１に記載の装置であって、
前記複数のキャリア上での前記複数の送信が、第１の周波数を中心とする２つの隣接するキャリア上での２つの送信と、第２の周波数における第３のキャリア上での第３の送信とを備え、前記第１および第２のダウンコンバータが選択されるとき、前記第１のダウンコンバータが、前記第１の周波数における第１の局部発振器（ＬＯ）信号に基づいて前記第１のＲＦ信号をダウンコンバートし、前記第２のダウンコンバータが、前記第２の周波数における第２のＬＯ信号に基づいて前記第２のＲＦ信号をダウンコンバートする、
前記装置。
［Ｃ１４］  方法であって、前記方法は下記を備える、
少なくとも１つの基準が満たされないとき、ワイヤレスデバイスに複数のキャリア上で送られた複数の送信のためのダウンコンバージョンを実行するために第１のダウンコンバータを選択することと、
前記少なくとも１つの基準が満たされるとき、異なる混合周波数に基づいて、前記複数のキャリア上で送られた前記複数の送信のためのダウンコンバージョンを実行するために前記第１のダウンコンバータと第２のダウンコンバータとを選択すること。
［Ｃ１５］  Ｃ１４に記載の方法であって、
前記少なくとも１つの基準は、受信無線周波数（ＲＦ）信号の受信電力が第１のしきい値よりも大きい場合に満たされる第１の基準、または前記複数のキャリアのうちの２つ上での前記複数の送信のうちの２つの受信電力間の差が第２のしきい値よりも大きい場合に満たされる第２の基準、または第１のキャリア上での干渉送信の受信電力が第２のキャリア上での所望の送信の受信電力を第３のしきい値だけ超える場合に満たされる第３の基準、またはそれらの組合せを備える、
前記方法。
［Ｃ１６］    Ｃ１４に記載の方法であって、
前記複数のキャリア上での前記複数の送信が、第１の周波数における第１のキャリア上での第１の送信と、第２の周波数における第２のキャリア上での第２の送信とを備える、
前記方法は、さらに下記を備える、
前記第１および第２のダウンコンバータが選択されるとき、前記第１の周波数における第１の局部発振器（ＬＯ）信号に基づいて前記第１のＲＦ信号をダウンコンバートするように前記第１のダウンコンバータを制御し、前記第２の周波数における第２のＬＯ信号に基づいて前記第２のＲＦ信号をダウンコンバートするように前記第２のダウンコンバータを制御すること。
［Ｃ１７］  装置であって、前記装置は下記を備える、
少なくとも１つの基準が満たされないとき、ワイヤレスデバイスに複数のキャリア上で送られた複数の送信のためのダウンコンバージョンを実行するために第１のダウンコンバータを選択するための手段と、
前記少なくとも１つの基準が満たされるとき、異なる混合周波数に基づいて、前記複数のキャリア上で送られた前記複数の送信のためのダウンコンバージョンを実行するために前記第１のダウンコンバータと第２のダウンコンバータとを選択するための手段。
［Ｃ１８］  Ｃ１７に記載の装置であって、
前記少なくとも１つの基準は、受信無線周波数（ＲＦ）信号の受信電力が第１のしきい値よりも大きい場合に満たされる第１の基準、または前記複数のキャリアのうちの２つ上での前記複数の送信のうちの２つの受信電力間の差が第２のしきい値よりも大きい場合に満たされる第２の基準、または第１のキャリア上での干渉送信の受信電力が第２のキャリア上での所望の送信の受信電力を第３のしきい値だけ超える場合に満たされる第３の基準、またはそれらの組合せを備える、
前記装置。
［Ｃ１９］  Ｃ１７に記載の装置であって、
前記複数のキャリア上での前記複数の送信が、第１の周波数における第１のキャリア上での第１の送信と、第２の周波数における第２のキャリア上での第２の送信とを備える、前記装置は、さらに下記を備える、
前記第１および第２のダウンコンバータが選択されるとき、前記第１の周波数における第１の局部発振器（ＬＯ）信号に基づいて前記第１のＲＦ信号をダウンコンバートするように前記第１のダウンコンバータを制御し、前記第２の周波数における第２のＬＯ信号に基づいて前記第２のＲＦ信号をダウンコンバートするように前記第２のダウンコンバータを制御するための手段。
［Ｃ２０］  コンピュータプログラム製品であって、
前記コンピュータプログラム製品は、非一時的コンピュータ可読媒体を備え、前記非一時的コンピュータ可読媒体は、下記を備える、
少なくとも１つのコンピュータに、少なくとも１つの基準が満たされないとき、ワイヤレスデバイスに複数のキャリア上で送られた複数の送信のためのダウンコンバージョンを実行するために第１のダウンコンバータを選択することを行わせるためのコードと、
前記少なくとも１つのコンピュータに、前記少なくとも１つの基準が満たされるとき、異なる混合周波数に基づいて、前記複数のキャリア上で送られた前記複数の送信のためのダウンコンバージョンを実行するために前記第１のダウンコンバータと第２のダウンコンバータとを選択することを行わせるためのコード。
【図１】
0006312653.tif 000007
【図２】
0006312653.tif 000008
【図３Ａ】
0006312653.tif 000009
【図３Ｂ】
0006312653.tif 000010
【図４】
0006312653.tif 000011
【図５Ａ】
0006312653.tif 000012
【図５Ｂ】
0006312653.tif 000013
【図６Ａ】
0006312653.tif 000014
【図６Ｂ】
0006312653.tif 000015
【図７】
0006312653.tif 000016
【図８】
0006312653.tif 000017
【図９】
0006312653.tif 000018
【図１０】
0006312653.tif 000019
【図１１】
0006312653.tif 000020
【図１２】
0006312653.tif 000021
【図１３】
0006312653.tif 000022
【図１４】
0006312653.tif 000023